(57)【要約】【課題】検査対象の異常の見落としを防止することが可能な医用画像表示装置を提供する。【解決手段】相互に関連する検査対象を同一又は異なる撮影条件で撮影することにより取得された出力値を基に、第１画像処理条件で第１画像を作成し、第２画像処理条件で第２画像を作成する画像処理部を有し、前記作成された前記第１画像と前記第２画像とを表示部に同時に表示させる医用画像表示装置であって、第１撮影条件と前記第２撮影条件との差が予め定められた範囲を超えているか否かを判断する撮影条件比較判断部と、第１画像、第２画像、第１撮影条件、及び、第２撮影条件を表示部に同時に表示させる場合、第１撮影条件と第２撮影条件との差が予め定められた範囲を超えていると撮影条件比較判断部が判断したときに、第１撮影条件と第２撮影条件とを互いに異なる態様で表示部に表示させる表示制御部と、を有する。【選択図】図１
2010172462.tif 000002
【特許請求の範囲】
【請求項１】
撮影手段により相互に関連する検査対象を同一又は異なる撮影条件で撮影することにより取得された出力値を基に、第１画像処理条件で第１画像を作成し、第２画像処理条件で第２画像を作成する画像処理部を有し、前記作成された前記第１画像と前記第２画像とを表示部に同時に表示させる医用画像表示装置であって、
前記第１画像に対応する出力値を取得するときの第１撮影条件を前記第１画像に対応付けて記憶すると共に、前記第２画像に対応する出力値を取得するときの第２撮影条件を前記第２画像に対応付けて記憶する撮影条件記憶部と、
前記第１撮影条件と前記第２撮影条件との差が予め定められた範囲を超えているか否かを判断する撮影条件比較判断部と、
前記第１画像、前記第２画像、前記第１撮影条件、及び、前記第２撮影条件を前記表示部に同時に表示させる場合、前記第１撮影条件と前記第２撮影条件との差が前記予め定められた範囲を超えていると前記撮影条件比較判断部が判断したときに、前記第１撮影条件と前記第２撮影条件とを互いに異なる態様で前記表示部に表示させる表示制御部と、
を有する
ことを特徴とする医用画像表示装置。
【請求項２】
撮影手段により相互に関連する検査対象を同一又は異なる撮影条件で撮影することにより取得された出力値を基に、第１画像処理条件で第１画像を作成し、第２画像処理条件で第２画像を作成する画像処理部を有し、前記作成された前記第１画像と前記第２画像とを表示部に同時に表示させる医用画像表示装置であって、
前記第１画像に対応する出力値を取得するときの第１撮影条件を前記第１画像に対応付けて記憶すると共に、前記第２画像に対応する出力値を取得するときの第２撮影条件を前記第２画像に対応付けて記憶する撮影条件記憶部と、
前記第１撮影条件と前記第２撮影条件との差が予め定められた範囲を超えているか否かを判断する撮影条件比較判断部と、
前記第１画像、前記第２画像、前記第１撮影条件、及び、前記第２撮影条件を前記表示部に同時に表示させる場合、前記第１撮影条件と前記第２撮影条件との差が前記予め定められた範囲を超えていると前記撮影条件比較判断部が判断したときに、前記予め定められた範囲を超えているとの警告を前記表示部に表示させる表示制御部と、
を有する
ことを特徴とする医用画像表示装置。
【請求項３】
前記第１画像に対応する前記出力値の分布を示した第１ヒストグラムを作成すると共に、前記第２画像に対応する前記出力値の分布を示した第２ヒストグラムを作成するヒストグラム作成部と、前記第１ヒストグラムを基に前記第１画像処理条件を求めると共に、前記第２ヒストグラムを基に前記第２画像処理条件を求める処理条件算出部とを有し、
さらに、前記表示制御部は、前記第１撮影条件と前記第２撮影条件との差が前記予め定められた範囲を超えていると前記撮影条件比較判断部が判断した場合に、前記第１ヒストグラムを前記第１画像に対応付けて表示させ、及び、前記第２ヒストグラムを前記第２画像に対応付けて表示させることを特徴とする請求項１又は請求項２に記載の医用画像表示装置。
【請求項４】
前記処理条件算出部は、前記第１画像に対する前記出力値の分布の特性を所定の特性に変更するための条件である第１ウィンドウ処理条件を含む前記第１画像処理条件を算出し、前記第２画像に対する出力値の分布の特性を所定の特性に変更するための条件である第２ウィンドウ処理条件を含む前記第２画像処理条件を算出し、
さらに、前記表示制御部は、前記第１ウィンドウ処理条件を前記第１ヒストグラムと対応させて前記表示部に表示させ、かつ、前記第２ウィンドウ処理条件を前記第２ヒストグラムと対応させて前記表示部に表示させることを特徴とする請求項３に記載の医用画像表示装置。
【請求項５】
操作部を有し、
さらに、前記表示制御部は、前記操作部の指示を受けて、前記第１ウィンドウ処理条件又は前記第２ウィンドウ処理条件のいずれか一方を選択可能に前記表示部に表示させ、
さらに、前記画像処理部は、前記表示部に表示された第１ウィンドウ処理条件又は前記第２ウィンドウ処理条件のいずれか一方の選択を受けて、前記出力値を基に前記選択を受けてない他方のウィンドウ処理条件で既に作成した前記第１画像又は前記第２画像の一方の画像に代えて、前記出力値を基に前記選択を受けた一方のウィンドウ処理条件と同一の条件で新たな画像を作成することを特徴とする請求項４に記載の医用画像表示装置。
【請求項６】
さらに、前記表示制御部は、前記選択を受けた一方のウィンドウ処理条件と同一の条件を、前記選択を受けない他方のウィンドウ処理条件と重ねて表示させることを特徴とする請求項５に記載の医用画像表示装置。
【請求項７】
前記操作部の指示を受けて、前記選択された一方のウィンドウ処理条件と同一の条件を適用するか否かの情報を記憶する適用情報記憶部を有することを特徴とする請求項５に記載の医用画像表示装置。
【請求項８】
操作部を有し、
前記表示制御部は、前記第１撮影条件と前記第２撮影条件との差が前記予め定められた範囲を超えていると前記撮影条件比較判断部が判断した場合に、前記操作部の指示を受けて、情報を書き込み可能な条件入力画面を前記表示部に表示させることを特徴とする請求項１から請求項７のいずれかに記載の医用画像表示装置。
【発明の詳細な説明】
【技術分野】
【０００１】
この発明は、医用画像表示装置に関し、特に、撮影手段により相互に関連する検査対象を同一又は異なる撮影条件で撮影することにより取得された出力値を基に、第１画像処理条件で第１画像を作成し、第２画像処理条件で第２画像を作成する画像処理部を有し、前記表示された前記第１画像と前記第２画像とを表示部に同時に表示させる医用画像表示装置に関する。
【背景技術】
【０００２】
従来の医用画像表示装置は、撮影手段により相互に関連する検査対象であるＬ側乳房及びＲ側乳房を撮影することにより取得された各出力値を基に、第１画像及び第２画像を作成し、作成された第１画像及び第２画像を同時に並べて表示部に表示させる。（例えば、特許文献１）。
【０００３】
また、医用画像表示装置は、各出力値を基にそれぞれの最適な画像処理条件で第１画像及び第２画像を作成し、第１画像及び第２画像を見やすい（観察しやすい）画像として表示部に表示させる。見やすいように画像として並べて表示させた第１画像及び第２画像を図６に示す。
【先行技術文献】
【特許文献】
【０００４】
【特許文献１】特開２００８−２８９６９８
【発明の概要】
【発明が解決しようとする課題】
【０００５】
しかしながら、第１画像及び第２画像を見やすい画像として並べて表示部に表示させる前記医用画像表示装置では、各出力値を基に異なる画像処理条件で第１画像及び第２画像を作成した場合、両画像の差異が減少して、検査対象のどちらかの異常（病変部）があっても、その異常を両画像から認識することが困難になるという問題点があった。仮に、各出力値を基に同じ画像処理条件で両画像を作成した場合、両画像の差異が減少せず、検査対象のどちらかに異常があることを両画像から認識することが容易になる。
【０００６】
この発明は、上記の問題を解決するものであり、検査対象の異常の見落としを防止することが可能な医用画像表示装置を提供することを目的とする。
【課題を解決するための手段】
【０００７】
上記課題を解決するため、この発明は、第１撮影条件と第２撮影条件との差が予め定められた範囲を超えている場合、第１撮影条件と第２撮影条件との差に対する観察者の注意を喚起することに着目した。
具体的に、この発明の第１の形態は、撮影手段により相互に関連する検査対象を同一又は異なる撮影条件で撮影することにより取得された出力値を基に、第１画像処理条件で第１画像を作成し、第２画像処理条件で第２画像を作成する画像処理部を有し、前記作成された前記第１画像と前記第２画像とを表示部に同時に表示させる医用画像表示装置であって、前記第１画像に対応する出力値を取得するときの第１撮影条件を前記第１画像に対応付けて記憶すると共に、前記第２画像に対応する出力値を取得するときの第２撮影条件を前記第２画像に対応付けて記憶する撮影条件記憶部と、前記第１撮影条件と前記第２撮影条件との差が予め定められた範囲を超えているか否かを判断する撮影条件比較判断部と、前記第１画像、前記第２画像、前記第１撮影条件、及び、前記第２撮影条件を前記表示部に同時に表示させる場合、前記第１撮影条件と前記第２撮影条件との差が前記予め定められた範囲を超えていると前記撮影条件比較判断部が判断したときに、前記第１撮影条件と前記第２撮影条件とを互いに異なる態様で前記表示部に表示させる表示制御部と、を有することを特徴とする医用画像表示装置である。
また、この発明の第２の形態は、撮影手段により相互に関連する検査対象を同一又は異なる撮影条件で撮影することにより取得された出力値を基に、第１画像処理条件で第１画像を作成し、第２画像処理条件で第２画像を作成する画像処理部を有し、前記作成された前記第１画像と前記第２画像とを表示部に同時に表示させる医用画像表示装置であって、前記第１画像に対応する出力値を取得するときの第１撮影条件を前記第１画像に対応付けて記憶すると共に、前記第２画像に対応する出力値を取得するときの第２撮影条件を前記第２画像に対応付けて記憶する撮影条件記憶部と、前記第１撮影条件と前記第２撮影条件との差が予め定められた範囲を超えているか否かを判断する撮影条件比較判断部と、前記第１画像、前記第２画像、前記第１撮影条件、及び、前記第２撮影条件を前記表示部に同時に表示させる場合、前記第１撮影条件と前記第２撮影条件との差が前記予め定められた範囲を超えていると前記撮影条件比較判断部が判断したときに、前記予め定められた範囲を超えているとの警告を前記表示部に表示させる表示制御部と、を有することを特徴とする医用画像表示装置である。
【発明の効果】
【０００８】
この発明によると、検査対象の異常の見落としを防止することが可能となる。
【０００９】
また、この発明の第１の形態によると、第１撮影条件と第２撮影条件とを互いに異なる態様で表示させることにより、第１撮影条件と第２撮影条件との差に対する観察者の注意を喚起することが可能となる。それにより、観察者が第１画像と第２画像との差異を見逃さないようになり、検査対象の異常の見落としを防止することが可能となる。
【００１０】
さらに、この発明の第２の形態によると、予め定められた範囲を超えているとの警告を表示部に表示させたので、観察者の注意をさらに喚起することが可能となる。
【図面の簡単な説明】
【００１１】
【図１】この発明の一実施形態に係る医用画像表示装置の機能ブロック図である。
【図２】画像処理部の機能ブロック図である。
【図３】互いに異なる態様で表示させた第１撮影条件及び第２撮影条件を示す図である。
【図４】第１画像及び第２画像にそれぞれ対応させて表示させた第１ヒストグラム及び第２ヒストグラムを示す図である。
【図５】第１ウィンドウ処理条件で作成された第１画像、及び、第２ウィンドウ処理条件に代えて、第１ウィンドウ処理条件と同一の条件で作成された第２画像を示す図である。
【図６】第１撮影条件等と同時に表示させた条件入力画面を示す図である。
【図７】従来の医用画像表示装置において、同時に表示させた第１画像、第２画像、第１撮影条件、及び第２撮影条件を示す図である。
【発明を実施するための形態】
【００１２】
（構成）
この発明の一実施形態に係る医用画像表示装置の構成について図１から図６を参照して説明する。図１は、Ｘ線乳房撮影装置の機能ブロック図、図２は、画像処理部の機能ブロック図である。
【００１３】
Ｘ線乳房撮影装置を構成する医用画像表示装置を図１に示す。なお、医用画像表示装置をＸ線乳房撮影装置と別体で構成しても良い。
【００１４】
図１において、Ｘ線乳房撮影装置の撮影手段は、Ｘ線管装置１、絞り機構２、圧迫板３、Ｘ線検出器４、及び、これらの機構・ユニットを支える支持器５を有する。
【００１５】
Ｂは被写体（乳房）で、Ｘ線管装置１から照射されたＸ線は、絞り機構２でＸ線照射野を形成されて被写体Ｂを透過し、Ｘ線検出器４にて検出される。圧迫板３は、被写体の厚さを薄く均一にするために使用され、Ｘ線吸収が少ない材料により形成されている。
【００１６】
また、撮影手段は、Ｘ線制御装置１０全体をコントロールする主制御部１１、Ｘ線管制御部１２、主制御部１１からの指令を受けてＸ線照射をコントロールする自動露出制御部１３を有する。撮影手段は、相互に関連する検査対象であるＬ側乳房及びＲ側乳房を同一又は異なる撮影条件で撮影し、Ｘ線検出器４にて検出された出力値（収集データ）を医用画像表示装置に出力する。
【００１７】
医用画像表示装置は、出力値（収集データ）を基に、予め定められた画像処理条件で画像を作成する画像処理部１４と、作成された画像その他の表示をコントロールする表示制御部１５と、画像その他を表示するモニタである表示部１６と、Ｌ側乳房の第１画像、Ｒ側乳房の第２画像及びその他を蓄積する画像蓄積部１７と、第１画像に対応する出力値を取得するときの第１撮影条件を記憶する第１撮影条件記憶部２１と、第２画像に対応する出力値を取得するときの第２撮影条件を記憶する第２撮影条件記憶部２２とを有する。
【００１８】
次に、画像処理部１４について、図１及び図２を参照にして説明する。画像処理部１４は、収集データ取得部１４１、ヒストグラム作成部１４２、処理条件算出部１４３、処理条件記憶部１４４、及び、適用情報記憶部１４５を有する。
【００１９】
収集データ取得部１４１は、Ｘ線検出器４にて検出された出力値（収集データ）を取得する。ヒストグラム作成部１４２は、第１画像に対応する出力値の分布を示す第１ヒストグラムを作成し、第２画像に対応する出力値の分布を示す第２ヒストグラムを作成する。処理条件算出部１４３は、第１画像に対する出力値の分布の特性を所定の特性に変更するための条件である第１ウィンドウ処理条件を含む第１画像処理条件を算出し、第２画像に対する出力値の分布の特性を所定の特性に変更するための条件である第２ウィンドウ処理条件を含む第２画像処理条件を算出する。処理条件記憶部１４４は、第１ウィンドウ処理条件及び第２ウィンドウ処理条件を記憶する。
【００２０】
ここで、第１ヒストグラムは、出力値をＸ軸に、出力値の頻度をＹ軸に表したものである。第１ウィンドウ処理条件は、第１ヒストグラムを基に、最小値（Ｓｍｉｎ）から最大値（Ｓｍａｘ）までの間の幅であるウィンドウ幅（ＷＷ）、及び、最小値と最大値との平均値であるウィンドウレベル（ＷＬ）を求めるための条件である。例えば、最小値は、第１ヒストグラムにおいて、頻度を出力値の小さい方から大きい方へサーチしていき、頻度が最初に落ち込んだ所の出力値に相当する値であり、最大値は、第１ヒストグラムにおいて、頻度を出力値の大きい方から小さい方へサーチしていき、頻度が最初に落ち込んだ所の出力値に相当する値である。また、第２ヒストグラムは、第１ヒストグラムと同様であり、第２ウィンドウ処理条件は、第１ウィンドウ処理条件と同様の条件である。
【００２１】
画像処理部１４は、第１ウィンドウ処理条件でＬ側乳房の第１画像を作成し、第２ウィンドウ処理条件でＲ側乳房の第２画像を作成する。画像処理部１４は、２５６階調とした場合、ＷＷ−ＷＬ／２を最小の画素値（例えば０）、ＷＷ＋ＷＬ／２を最大の画素値（例えば２５５）として、第１画像及び第２画像をそれぞれ作成する。表示制御部１５は、第１ヒストグラムを第１画像と対応させて、また、第２ヒストグラムを第２画像と対応させて表示部１６に表示させる。さらに、表示制御部１５は、第１ウィンドウ処理条件を第１ヒストグラムに対応付けて表示させ、また、第２ウィンドウ処理条件を第２ヒストグラムに対応付けて表示させる。
【００２２】
また、医用画像表示装置は、マウス等の操作部１９からの入力を受け付けるユーザインターフェース１８を有し、ユーザは表示部１６に表示される画像を見ながらマウス等で画像処理を変更したりすることができる。
【００２３】
Ｘ線乳房撮影装置の動作手順を以下に説明する。
【００２４】
まず、Ｌ側乳房についてＸ線撮影を実行する。画像処理部１４は、撮影することにより取得された出力値（収集データ）を基に、第１ウィンドウ処理条件でＬ側乳房の第１画像を作成し、第１画像を画像蓄積部１７に記憶させる。表示制御部１５は、第１画像を表示部１６に表示させる。また、Ｌ側乳房をＸ線撮影するときの管電圧、ｍＡｓ値、乳房厚、圧迫力等の第１撮影条件は、第１画像に対応付けられて第１撮影条件記憶部２１に記憶される。
【００２５】
次に、Ｒ側乳房についてＸ線撮影を実行する。Ｘ線女房撮影装置の動作手順は、Ｌ側乳房を撮影する場合と同様である。すなわち、画像処理部１４は、撮影することにより取得された出力値（収集データ）を基に、第２ウィンドウ処理条件でＲ側乳房の第２画像を作成し、第２画像を画像蓄積部１７に記憶させる。表示制御部１５は、第２画像を表示部１６に表示させる。また、Ｒ側乳房をＸ線撮影するときの管電圧、ｍＡｓ値、乳房厚、圧迫力等の第２撮影条件であるは、第２画像に対応付けられて第２撮影条件記憶部２２に記憶される。
【００２６】
一方で、撮影条件比較判断部２３は、第１撮影条件と第２撮影条件とを比較する。撮影条件比較判断部２３は、比較した結果がユーザに注意を喚起する条件を満たすか否かを判断し、注意を喚起する必要があると判断した場合にはその旨を表示指示部２４に知らせる。表示指示部２４は、その知らせを受け取ると、注意を喚起するための表示を表示制御部１５にするよう指示を出す。
【００２７】
次に、表示部１６に表示される画像例を図３〜図６を参照にして説明する。
【００２８】
図３は、表示部１６に並べて表示された第１画像（Ｌ側乳房の撮影像）及び第２画像（Ｒ側乳房の撮影像）、並びに、同時に表示された第１撮影条件及び第２撮影条件を示す図、図４は第１画像及び第２画像にそれぞれ対応させて表示させた第１ヒストグラム及び第２ヒストグラムを示す図である。
【００２９】
画像処理部１４は、出力値（収集データ）を基に、第１ウィンドウ処理条件、第２ウィンドウ処理条件で、最適なウィンドウ処理を自動的に施し、観察しやすい撮影像として第１画像及び第２画像を作成する。一方、撮影条件比較判断部２３は、第１撮影条件と第２撮影条件を比較する。第１撮影条件と第２撮影条件との差が予め定められた範囲を超えていること（例えば、管電圧の差が５ｋｖ以上あること）を検知すると、第１画像と第２画像とに大きな差異があると判断し、表示指示部２４に通知する。表示指示部２４は、表示制御部１５に対して指示を出す。
【００３０】
表示指示部２４の指示を受けて、表示制御部１５は、第１撮影条件と第２撮影条件とを異なる態様で表示部１６に表示させる。第１画像、第２画像、第１撮影条件及び第２撮影条件を表示部１６に同時に表示させる。赤などの目立つ色、あるいはブリンクさせることにより目立つように表示させた第１撮影条件（２８ｋｖ）と第２撮影条件（３５ｋｖ）とを図３に示す。それにより、観察者の注意を第１撮影条件と第２撮影条件との差異に向けることが可能となる。ここで、「同時に表示させる」とは、第１画像、第２画像、第１撮影条件及び第２撮影条件の４つを少なくとも一時期（例えば、観察者の視認時）に重複させて表示させることをいう。
【００３１】
表示指示部２４の指示を受けて、表示制御部１５は、上記の第１撮影条件及び第２撮影条件の表示と共に、又は、第１撮影条件及び第２撮影条件の表示とは独立させて、第１ヒストグラムを第１画像と対応させ自動表示させると共に、また、第２ヒストグラムを第２画像と対応させて自動表示させる。第１画像及び第２画像にそれぞれ対応させて表示させた第１ヒストグラム及び第２ヒストグラムを図４に示す。それにより、第１画像に対応する出力値の分布と、第２画像に対応する出力値の分布の差異を観察者が視認することができる。
【００３２】
表示指示部２４の指示を受けて、表示制御部１５は、さらに、左右それぞれに適用されている第１ウィンドウ処理条件、第２ウィンドウ処理条件を、それぞれの第１ヒストグラム、第２ヒストグラムに対応させて表示させる。第１ヒストグラムに対応させて表示させた第１ウィンドウ処理条件、第２ヒストグラムに対応させて表示させた第２ウィンドウ処理条件を図４に示す。それにより、第１画像に対応する画像処理条件と、第２画像に対応する画像処理条件との差異を観察者が視認することができる。
【００３３】
なお、この管電圧の差など、撮影条件の中で差異が大きいか否かを判断するときの基準となる判断基準を、あらかじめ撮影条件比較判断部２３にプログラムしておいてもよい。あるいは、観察者、サービスマンがマウス等の操作部１９を使用して、判断基準を例えば医用画像表示装置の内部メモリに記憶させるようにしてもよい。また、注意を喚起する表示方法を、あらかじめ表示指示部２４にプログラムしておいてもよい。あるいは、例えば医用画像表示装置の内部メモリに記憶させた複数の表示方法の中から観察者、サービスマンがマウス等の操作部１９を使用して、選択するようにしてもよい。
【００３４】
以上は、第１撮影条件と第２撮影条件との差異が予め定められた範囲を超えると撮影条件比較判断部２３が判断した場合、表示制御部１５が、第１撮影条件と第２撮影条件とを異なる態様で表示部１６に表示させ、また、第１ヒストグラム、第２ヒストグラム、第１ウィンドウ処理条件、第２ウィンドウ処理条件を表示部１６に表示させるものを示した。それにより、観察者が第１画像と第２画像との差異を見逃さないようになり、検査対象の異常の見落としを防止することが可能となる。
【００３５】
次に、検査対象の異常の見落としを防止する効果をさらに高めるための構成について、図５及び図６を参照にして説明する。図５は第１ウィンドウ処理条件と同一の条件を第２ウィンドウ処理条件と重ねて表示させた示す図、図６は第１撮影条件等と同時に表示させた条件入力画面を示す図である。
【００３６】
表示制御部は、操作部１９の指示を受けて、第１ウィンドウ処理条件又は第２ウィンドウ処理条件のいずれか一方を選択可能に表示部１６に表示させる。画像処理部１４は、表示部１６に表示された第１ウィンドウ処理条件又は前記第２ウィンドウ処理条件のいずれか一方の選択を受けて、選択を受けてない他方のウィンドウ処理条件で出力値（収集データ）を基に既に作成した第１画像又は第２画像の一方の画像に代えて、選択を受けた一方のウィンドウ処理条件と同一の条件で出力値（収集データ）を基に新たな画像を作成する。
【００３７】
第１撮影条件と第２撮影条件との差異が予め定められた範囲を超えていると撮影条件比較判断部２３が判断した場合、撮影条件比較判断部２３からの差異ありというその判断結果を受けて、表示指示部２４が、表示制御部１５に対し、ウィンドウ処理条件を選択するためのボタン１８１の表示を指示することになる。表示制御部１５は、ボタン１８１を表示部１６に表示させる。画面上に表示させたボタン１８１を図５に示す。
【００３８】
観察者がマウス等の操作部１９によりボタン１８１の指定をすることによって、画像処理部１４は、第１画像又は第２画像のどちらか一方の画像を処理するときに適用している第１ウィンドウ処理条件又は第２ウィンドウ処理条件の一方と同一の条件を、他方の画像を処理するときにも適用して、第１画像又は第２画像の他方の画像を処理する。
【００３９】
例えば、マウスのクリックにより、表示部１６に表示された「Ｒ」のボタン１８１を指定すると、画像処理部１４は、Ｒ側乳房の第２画像に対して、Ｌ側乳房の第１画像に適用されている第１ウィンドウ処理条件を適用して、第２画像を作成し、表示制御部１５は、作成された第２画像を表示部１６に表示させる。その結果、Ｒ側乳房の第２画像の画像処理条件である第２ウィンドウ処理条件が第１ウィンドウ処理条件に変更される。同一の画像処理条件で作成された場合の第１画像と第２画像とを、簡単な操作で表示させることが可能となる。また、表示制御部１５は、第１ウィンドウ処理条件と同一の画像処理条件を第２ウィンドウ処理条件と重ねて表示させる。それにより、第１ウィンドウ処理条件と第２ウィンドウ処理条件との差異を明確にすることができる。
【００４０】
さらに、操作部１９の指示を受けて、選択された一方のウィンドウ処理条件と同一の条件を適用するか否かの情報を記憶する適用情報記憶部１４５を有する。操作部１９によるロックボタン（図示省略）の指示を受けて、医用画像表示装置は、同一の条件を適用するか否かの情報を、医用画像表示装置の内部メモリ又は外部記憶装置に記憶させる。画像処理部１４は、操作部１９の指定を受けた場合、例えば内部メモリに「適用」の情報が記憶されているとき、前記同一の条件を適用して画像を作成する。一方、内部メモリに「非適用」の情報が記憶されているとき、前記同一の条件を適用せず、画像も作成しない。
【００４１】
同一の条件を適用するか否かを選択するようにしたので、観察者等による誤操作を防止することが可能となる。
【００４２】
さらに、第１撮影条件と第２撮影条件との差異が予め定められた範囲を超えていると撮影条件比較判断部２３が判断した場合、撮影条件比較判断部２３からの差異ありというその判断結果を受けて、表示指示部２４が表示制御部１５に対し、条件入力画面１８２の表示を指示する。条件入力画面１８２は、医用画像表示装置の内部メモリ又は外部記憶装置に記憶されている。表示制御部１５は、操作部１９の指示を受けてコメントを入力可能な条件入力画面１８２を表示部１６に表示させる。第１撮影条件等と同時に表示させた条件入力画面１８２を図６に示す。
【００４３】
なお、表示制御部１５が、条件入力画面１８２を表示部１６に表示させると共に、その条件入力画面１８２に第１撮影条件と第２撮影条件を自動で表示させても良い。第１撮影条件と第２撮影条件とに大きな差異がある場合、条件入力画面１８２に、その第１撮影条件と第２撮影条件とが表示されるので、撮影条件に対し観察者の注意をより喚起することができる。
【００４４】
また、第１撮影条件と第２撮影条件との差異が予め定められた範囲を超えていると撮影条件比較判断部２３が判断した場合、表示制御部１５が、予め定められた範囲を超えているとの警告（大きな差異があるとの警告）の情報を表示部１６に表示させても良い。このとき、表示制御部１５は、前記警告を第１撮影条件等の表示態様の変化と同時に表示させても良い。表示部１６に表示される警告の情報とは、前記差異の情報、又は、「大きな差異あり」との語句あるいは文章の情報、それらの組み合わせた情報である。
【符号の説明】
【００４５】
１  Ｘ線管装置    ２  絞り機構    ３  圧迫板    ４  Ｘ線検出器    ５  支持器
１０  Ｘ線制御装置    １１  主制御部    １２  Ｘ線管制御部    
１３  自動露出制御部    １４  画像処理部    １５  表示制御部    １６  表示部
１７  画像蓄積部    １８  ユーザインターフェース    １９  操作部
２１  第１撮影条件記憶部    ２２  第２撮影条件記憶部    ２３  撮影条件比較判断部
２４  表示指示部    １４１  収集データ取得部    １４２  ヒストグラム作成部
１４３  処理条件算出部    １４４  処理条件記憶部    １４５  適用情報記憶部
１８１  ボタン    １８２  条件入力画面
【図１】
2010172462.tif 000003
【図２】
2010172462.tif 000004
【図３】
2010172462.tif 000005
【図４】
2010172462.tif 000006
【図５】
2010172462.tif 000007
【図６】
2010172462.tif 000008
【図７】
2010172462.tif 000009